【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
対向する矩形形状のフィルムと、
対向する前記フィルムの周縁の一部を残して対向するフィルムの周縁同士が付着された周縁シール部と、
この周縁シール部は、前記対向する矩形形状のフィルム内に空気を封入しない状態において、平面視、矩形形状で、順次、時計回りに、第１の周縁横シール部、第１の周縁縦シール部、第２の周縁横シール部、第２の周縁縦シール部であり、
前記第１の周縁横シール部及び前記第２の周縁横シール部に平行で、対向する一方のフィルムと他方のフィルムの部位を断続的に且つ直線状に付着すると共に間隔を設けて形成された折曲自在な第１、第２、第３、第４の横シール部と、
前記第１の周縁縦シール部及び前記第２の周縁縦シール部に平行で、対向する一方のフィルムと他方のフィルムの部位を断続的に且つ直線状に付着すると共に間隔を設けて形成された折曲自在な複数の縦シール部と、
この複数の縦シール部の内、前記対向する矩形形状のフィルム内に空気を封入した状態において、前記縦シール部に沿って折曲する部位は、第１の折曲縦シール部であり、
前記第１の周縁縦シール部と前記第１の折曲縦シール部との間に位置する部位であって、前記第１の周縁横シール部と前記第１の横シール部で囲まれた部位は、第１の側面折曲部であり、
前記第１の周縁縦シール部と前記第１の折曲縦シール部との間に位置する部位であって、前記第１の横シール部と前記第２の横シール部で囲まれた部位は、第２の側面折曲部であり、
前記第１の周縁縦シール部と前記第１の折曲縦シール部との間に位置する部位であって、前記第２の横シール部と前記第３の横シール部で囲まれた部位は、第３の側面折曲部であり、
前記第１の周縁縦シール部と前記第１の折曲縦シール部との間に位置する部位であって、前記第３の横シール部と前記第４の横シール部で囲まれた部位は、第４の側面折曲部であり、
前記第１の周縁縦シール部と前記第１の折曲縦シール部との間に位置する部位であって、前記第４の横シール部と前記第２の周縁横シール部で囲まれた部位は、第５の側面折曲部であり、
前記対向する矩形形状のフィルムの間に空気を封入して、前記第１の折曲縦シール部に沿って折り曲げると共に、前記第１、第２、第３、第４の横シール部に沿って折り曲げた際、前記第１、第２、第３、第４、第５の側面折曲部の隣接する部位が干渉しないように、前記第１の側面折曲部と前記第２の側面折曲部との隣接する部位に空気が封入できないようにシールされた第１の不干渉部、前記第２の側面折曲部と前記第３の側面折曲部との隣接する部位に空気が封入できないようにシールされた第２の不干渉部、前記第３の側面折曲部と前記第４の側面折曲部との隣接する部位に空気が封入できないようにシールされた第３の不干渉部、前記第４の側面折曲部と前記第５の側面折曲部との隣接する部位に空気が封入できないようにシールされた第４の不干渉部が、それぞれ設けられ、
付着されていない対向する前記一方のフィルムと前記他方のフィルムとの間の空所に空気が封入され、
付着されていない対向する前記一方のフィルムと前記他方のフィルムの前記周縁の一部に形成された前記空所内への空気を入れる通路が設けられていることを特徴とする緩衝材。
【請求項２】
第１、第２、第３、第４の横シール部の一方の端部が、第１の周縁縦シール部でなく第１の折曲縦シール部にまでしか達していない場合、
第１の側面折曲部は、前記第１の周縁縦シール部と前記第１の折曲縦シール部との間に位置する部位であって、第１の周縁横シール部と第１の横シール部の延長線で囲まれた部位であり、
第２の側面折曲部は、前記第１の周縁縦シール部と前記第１の折曲縦シール部との間に位置する部位であって、第１の横シール部の延長線と第２の横シール部の延長線で囲まれた部位であり、
第３の側面折曲部は、前記第１の周縁縦シール部と前記第１の折曲縦シール部との間に位置する部位であって、前記第２の横シール部の延長線と第３の横シール部の延長線で囲まれた部位であり、
第４の側面折曲部は、前記第１の周縁縦シール部と前記第１の折曲縦シール部との間に位置する部位であって、前記第３の横シール部の延長線と第４の横シール部の延長線で囲まれた部位であり、
第５の側面折曲部は、前記第１の周縁縦シール部と前記第１の折曲縦シール部との間に位置する部位であって、前記第４の横シール部の延長線と第２の周縁横シール部で囲まれた部位であることを特徴とする請求項１記載の緩衝材。
【請求項３】
複数の縦シール部の内、対向する矩形形状のフィルム内に空気を封入した状態において、縦シール部に沿って折曲する部位は、第１、第２の折曲縦シール部であり、
第１の周縁縦シール部、第２の周縁縦シール部の内、前記第２の折曲縦シール部に近い側は、前記第２の周縁縦シール部であり、
前記第２の周縁縦シール部と前記第２の折曲縦シール部との間に位置する部位であって、第１の周縁横シール部と第１の横シール部で囲まれた部位は、第１’の側面折曲部であり、
前記第２の周縁縦シール部と前記第２の折曲縦シール部との間に位置する部位であって、前記第１の横シール部と前記第２の横シール部で囲まれた部位は、第２’の側面折曲部であり、
前記第２の周縁縦シール部と前記第２の折曲縦シール部との間に位置する部位であって、前記第２の横シール部と前記第３の横シール部で囲まれた部位は、第３’の側面折曲部であり、
前記第２の周縁縦シール部と前記第２の折曲縦シール部との間に位置する部位であって、前記第３の横シール部と前記第４の横シール部の延長線で囲まれた部位は、第４’の側面折曲部であり、
前記第２の周縁縦シール部と前記第２の折曲縦シール部との間に位置する部位であって、前記第４の横シール部と前記第２の周縁横シール部で囲まれた部位は、第５’の側面折曲部であり、
前記対向する矩形形状のフィルムの間に空気を封入して、前記第２の折曲縦シール部に沿って折り曲げると共に、前記第１、第２、第３、第４の横シール部に沿って折り曲げた際、前記第１’、第２’、第３’、第４’、第５’の側面折曲部の隣接する部位が干渉しないように、前記第１’の側面折曲部と前記第２’の側面折曲部との隣接する部位に空気が封入できないようにシールされた第１’の不干渉部、前記第２’の側面折曲部と前記第３’の側面折曲部との隣接する部位に空気が封入できないようにシールされた第２’の不干渉部、前記第３’の側面折曲部と前記第４’の側面折曲部との隣接する部位に空気が封入できないようにシールされた第３’の不干渉部、前記第４’の側面折曲部と前記第５’の側面折曲部との隣接する部位に空気が封入できないようにシールされた第４’の不干渉部が、それぞれ設けられていることを特徴とする請求項１記載の緩衝材。
【請求項４】
第１、第２、第３、第４の横シール部の他方の端部が、第２の周縁縦シール部でなく第２の折曲縦シール部にまでしか達していない場合、
第１’の側面折曲部は、前記第２の周縁縦シール部と前記第２の折曲縦シール部との間に位置する部位であって、前記第１の周縁横シール部と前記第１の横シール部の延長線で囲まれた部位であり、
第２’の側面折曲部は、前記第２の周縁縦シール部と前記第２の折曲縦シール部との間に位置する部位であって、前記第１の横シール部の延長線と前記第２の横シール部の延長線で囲まれた部位であり、
第３’の側面折曲部は、前記第２の周縁縦シール部と前記第２の折曲縦シール部との間に位置する部位であって、前記第２の横シール部の延長線と前記第３の横シール部の延長線で囲まれた部位であり、
第４’の側面折曲部は、前記第２の周縁縦シール部と前記第２の折曲縦シール部との間に位置する部位であって、前記第３の横シール部の延長線と前記第４の横シール部の延長線で囲まれた部位であり、
第５’の側面折曲部は、前記第２の周縁縦シール部と前記第２の折曲縦シール部との間に位置する部位であって、前記第４の横シール部の延長線と第２の周縁横シール部で囲まれた部位であることを特徴とする請求項３記載の緩衝材。